(57)【要約】【課題】動力工具が収納される工具収納ケースにおいて、ハンドルを握って工具収納ケースを持ち運ぶ際の持ち運び易さを向上させる。【解決手段】工具収納ケース１０は、上面が開口されるケース本体１１と、上面を閉塞可能にケース本体１１に取り付けられる蓋部３１とを有する。蓋部３１を開け閉めするケース本体１１の前面１０３には、ケース本体１１と変位可能に保持される連結ハンドル６０が取り付けられる。連結ハンドル６０は、蓋部３１に設けられた蓋側凸部に嵌合可能にされる嵌合凹部を有する。嵌合凹部と蓋側凸部とは、ケース本体１１に対する連結ハンドル６０の変位により嵌合もしくは嵌合解除するようになっている。この連結ハンドルには持ち運ぶ際に手で握られるハンドル部６８が設けられている。これにより、前面１０３を上側にして工具収納ケース１０を持ち運ぶことができる。【選択図】図１
2017039194.tif 000002
【特許請求の範囲】
【請求項１】
動力工具が収納される工具収納ケースであって、
上面が開口されるケース本体と、該上面を閉塞可能に該ケース本体に取り付けられる蓋部と、を有し、
前記蓋部を開け閉めする前記ケース本体の側面には、該ケース本体と変位可能に保持される連結体が取り付けられており、
前記連結体は、前記蓋部に設けられた第１被係合部に係合可能にされる係合部を有し、
前記係合部と前記第１被係合部とは、前記ケース本体に対する前記連結体の変位により係合もしくは係合解除するようになっており、
前記係合部が前記第１被係合部に係合している場合には、前記ケース本体に対する前記蓋部の閉塞状態は保持され、
前記係合部と前記第１被係合部との係合が解除している場合には、前記蓋部は前記ケース本体に対して開閉可能とされ、
前記連結体には、持ち運ぶ際に手で握られるハンドル部が設けられている、工具収納ケース。
【請求項２】
請求項１に記載の工具収納ケースにおいて、
前記連結体は、前記蓋部の開閉方向と交差する方向に延在されたベースを有し、
前記係合部は、前記ベースの延在方向の両端に対をなして設けられている、工具収納ケース。
【請求項３】
請求項１または請求項２に記載の工具収納ケースにおいて、
前記連結体は、前記ケース本体に対して取外し可能にされている、工具収納ケース。
【請求項４】
請求項１から請求項３のいずれかに記載の工具収納ケースにおいて、
前記連結体は、前記ケース本体に支持される回動支点を有し、且つ、該回動支点で前記ケース本体に対して回動変位可能となっており、
前記ハンドル部は、前記回動支点を挟んで前記係合部の配設位置とは反対側の位置に設けられている、工具収納ケース。
【請求項５】
請求項１から請求項４のいずれかに記載の工具収納ケースにおいて、
前記ケース本体には、第２被係合部が設けられており、
前記係合部は、第一の工具収納ケースに支持されながら、該第一の工具収納ケースに重ねて配置された第二の工具収納ケースの前記第２被係合部と係合し、これら工具収納ケース同士を一体に連結可能とする、工具収納ケース。
【請求項６】
請求項５に記載の工具収納ケースにおいて、
前記連結体には、前記第２被係合部を外部に露出させる切欠き部が設定されている、工具収納ケース。
【請求項７】
請求項１から請求項６のいずれかに記載の工具収納ケースにおいて、
前記連結体には、前記係合部を係合位置から係合解除位置に変位させるための指掛け可能な凹部が設けられている、工具収納ケース。
【発明の詳細な説明】
【技術分野】
【０００１】
本発明は、動力工具を含む工具類を収納するための工具収納ケースに関する。
【背景技術】
【０００２】
動力工具には、モータを駆動源とする電動工具が知られている。このような電動工具は、持ち運ぶ場合や保管する場合に、専用の工具収納ケースに収納される。工具収納ケースは、電動工具を収納可能な箱形をなしている。工具収納ケースは、上面が開口されるケース本体と、開口される上面を閉塞する蓋部とを有する（例えば、下記特許文献１、下記特許文献２）。このような工具収納ケースにあっては、持ち運ぶにあたってユーザの手で握られる上面ハンドルが蓋部の上面に設けられている。
【先行技術文献】
【特許文献】
【０００３】
【特許文献１】特開２０１３−２２６６２１号
【特許文献２】特開２０１３−２２６６２２号
【発明の概要】
【発明が解決しようとする課題】
【０００４】
ところで、上面ハンドルは、蓋部の中央に設定されている。このような上面ハンドルを握って工具収納ケースを置こうとすると、蓋部を常に上側とすることができて、置いた後に直ぐに蓋部の開け閉めが可能となる。つまり、電動工具を出し入れするにあたって便利となる。しかしながら、蓋部の上面の面積は、工具収納ケースのうち最も広い面積となっているのが一般的である。このため、工具収納ケースを持ち運ぶ際、最も広い上面が上側となって水平方向の寸法が大きくなる。このように水平方向の寸法が大きい工具収納ケースを持ち運ぼうとすると、工具収納ケースの重心はユーザの胴体から離れてしまう。そうすると、工具収納ケースの外縁は、ユーザの身体に当たり易くなって、ユーザにとって持ち運び難いものとなっていた。
【０００５】
本発明は、このような事情に鑑みなされたものであって、本発明が解決しようとする課題は、動力工具が収納される工具収納ケースにおいて、ハンドルを握って工具収納ケースを持ち運ぶ際の持ち運び易さを向上させることにある。
【課題を解決するための手段】
【０００６】
上記した課題を解決するにあたって、本発明に係る工具収納ケースは次の手段をとる。すなわち、本発明の第１の発明に係る工具収納ケースは、動力工具が収納される工具収納ケースであって、上面が開口されるケース本体と、該上面を閉塞可能に該ケース本体に取り付けられる蓋部と、を有し、前記蓋部を開け閉めする前記ケース本体の側面には、該ケース本体と変位可能に保持される連結体が取り付けられており、前記連結体は、前記蓋部に設けられた第１被係合部に係合可能にされる係合部を有し、前記係合部と前記第１被係合部とは、前記ケース本体に対する前記連結体の変位により係合もしくは係合解除するようになっており、前記係合部が前記第１被係合部に係合している場合には、前記ケース本体に対する前記蓋部の閉塞状態は保持され、前記係合部と前記第１被係合部との係合が解除している場合には、前記蓋部は前記ケース本体に対して開閉可能とされ、前記連結体には、持ち運ぶ際に手で握られるハンドル部が設けられている、という構成である。
【０００７】
この第１の発明に係る工具収納ケースによれば、蓋部を開け閉めするケース本体の側面には、ケース本体と変位可能に保持される連結体が取り付けられている。この連結体は、蓋部の閉塞状態を保持するように第１被係合部に係合する係合部を有すると共に、持ち運ぶ際に手で握られるハンドル部が設けられている。これによって、蓋部を開け閉めするケース本体の側面を上側にして工具収納ケースを持ち運ぶことができ、工具収納ケースの重心をユーザの胴体に近くできて持ち運び易くなる。
【０００８】
本発明の第２の発明に係る工具収納ケースは、前記第１の発明に係る工具収納ケースにおいて、前記連結体は、前記蓋部の開閉方向と交差する方向に延在されたベースを有し、前記係合部は、前記ベースの延在方向の両端に対をなして設けられている、という構成である。この第２の発明に係る工具収納ケースによれば、係合部は開閉方向と交差する方向のベースの両端に対をなして設けられているので、蓋部の閉塞状態をバランス良く保持することができる。なお、対をなす係合部の係合および係合解除のための操作は、連接されるベースにより一括で行うことができる。
【０００９】
本発明の第３の発明に係る工具収納ケースは、前記第１または前記第２の発明に係る工具収納ケースにおいて、前記連結体は、前記ケース本体に対して取外し可能にされている、という構成である。この第３の発明に係る工具収納ケースによれば、連結体はケース本体に対して取外し可能にされているので、連結体をケース本体から取り外すことができる。これによって、例えばユーザの好みに応じて連結体の構成を入れ替えることができ、バリエーションに富んだユーザニーズに対応可能な工具収納ケースとすることができる。
【００１０】
本発明の第４の発明に係る工具収納ケースは、前記第１から前記第３のいずれかの発明に係る工具収納ケースにおいて、前記連結体は、前記ケース本体に支持される回動支点を有し、且つ、該回動支点で前記ケース本体に対して回動変位可能となっており、前記ハンドル部は、前記回動支点を挟んで前記係合部の配設位置とは反対側の位置に設けられている、という構成である。この第４の発明に係る工具収納ケースによれば、ハンドル部を手で握って持ち上げた場合、持ち上げる力はケース本体から離れる方向でハンドル部に作用する。この作用力は、回動支点で連結体に対して回動作用が働く。ここでハンドル部は、回動支点を挟んで係合部の配設位置とは反対側の位置に設けられているので、係合部はケース本体に近づく方向に回動作用が働くこととなる。これによって、係合部は、ケース本体から離れないこととなり、係合部の係合を良好に保持することができる。
【００１１】
本発明の第５の発明に係る工具収納ケースは、前記第１から前記第４のいずれかの発明に係る工具収納ケースにおいて、前記ケース本体には第２被係合部が設けられており、前記係合部は、第一の工具収納ケースに支持されながら、該第一の工具収納ケースに重ねて配置された第二の工具収納ケースの前記第２被係合部と係合し、これら工具収納ケース同士を一体に連結可能とする、という構成である。この第５の発明に係る工具収納ケースによれば、係合部は、第一の工具収納ケースに支持されながら、第一の工具収納ケースに重ねて配置された第二の工具収納ケースの前記第２被係合部と係合する。これによって、これら重ねて配置された工具収納ケース同士を一体に連結可能となる。このように２つの工具収納ケースを一体に連結できると、複数の工具収納ケースを同時に持ち運ぶことができたり、複数の工具収納ケースを纏めて管理したりすることができる。
【００１２】
本発明の第６の発明に係る工具収納ケースは、前記第５の発明に係る工具収納ケースにおいて、前記連結体には、前記第２被係合部を外部に露出させる切欠き部が設定されている、という構成である。この第６の発明に係る工具収納ケースによれば、連結体には、第２被係合部を外部に露出させる切欠き部が設定されているので、連結体をつけたままでも別の連結部材を利用して工具収納ケース同士を連結することができる。
【００１３】
本発明の第７の発明に係る工具収納ケースは、前記第１から前記第６のいずれかの発明に係る工具収納ケースにおいて、前記連結体には、前記係合部を係合位置から係合解除位置に変位させるための指掛け可能な凹部が設けられている、という構成である。この第７の発明に係る工具収納ケースによれば、指掛け可能な凹部に指を掛けて係合部を係合位置から係合解除位置に変位させることができる。これによって、ユーザは、係合位置から係合解除位置へ操作するにあたっての操作が容易に行える。
【図面の簡単な説明】
【００１４】
【図１】連結ハンドルが取り付けられた工具収納ケースの外観を示す斜視図である。
【図２】図１の反対側の外観を示す斜視図である。
【図３】横置きの工具収納ケースの外観を示す斜視図である。
【図４】工具収納ケースの前面を示す平面図である。
【図５】工具収納ケースの左側面を示す平面図である。
【図６】図１においてハンドル部が収容された外観斜視図である。
【図７】連結部材のみが取り付けられた工具収納ケースの外観を示す斜視図である。
【図８】図７の工具収納ケースの蓋部が開けられる外観を示す斜視図である。
【図９】連結部材が取り外された前面の被連結部を示す斜視図である。
【図１０】取り外された連結部材を示す斜視図である。
【図１１】横置き状態の連結ハンドルの外観を示す斜視図である。
【図１２】連結ハンドルの上面を示す平面図である。
【図１３】連結ハンドルの装着面となる後面を示す平面図である。
【図１４】連結ハンドルが係合解除位置となっている工具収納ケースの斜視図である。
【図１５】図１４における(XV)-(XV)断面矢視を示す断面図である。
【図１６】３段連結された連結ケースの外観を示す縦置き斜視図である。
【図１７】図１６における(XVII)-(XVII)断面矢視を示す断面図である。
【図１８】カラビナが取り付けられる例を示す斜視図である。
【発明を実施するための形態】
【００１５】
以下、本発明に係る工具収納ケースを実施するための実施の形態について図面を参照しながら説明する。図１〜図６は、連結ハンドル６０が取り付けられた工具収納ケース１０が図示されている。これに対し、図７〜図１０では、被連結部２０に関する連結構造を図示している。なお、各図面で記載した上下前後左右に則って、この工具収納ケース１０を説明することとする。ちなみに、各図面に記載される上下前後左右の方向は、ユーザが蓋部３１を開く際の置き方に基づいている。つまり、蓋部３１を開ける方向を上側とし、蓋部３１を開ける際の手前方向を前側とした。ちなみに、図１および図２に示す工具収納ケース１０は、ハンドル部６８が上側に配置されるように置かれている。図１〜図６に示すように、工具収納ケース１０は、上面１０１、底面１０２、前面１０３、後面１０４、右側面１０５、左側面１０６の、六面体の箱形をなして形成される。
【００１６】
工具収納ケース１０は、動力工具としての電動工具が収納される。工具収納ケース１０は、六面の箱形をなしている。電動工具としては、例えばインパクトドライバに代表されるような大きさが小型から中型となる電動工具である。ちなみに、工具収納ケース１０の各面の大きさを比較すると、上面１０１および底面１０２の面積が最も大きく、次いで前面１０３および後面１０４が大きく、右側面１０５および左側面１０６が最も小さく、設定されている。つまり、工具収納ケース１０は、左右方向の辺の長さが最も長く設定され、次いで前後方向の辺の長さが長く設定され、そして、上下方向の辺の長さが最も短く設定されている。工具収納ケース１０は、上面が開口されるケース本体１１と、上面を閉塞可能にケース本体１１に取り付けられる蓋部３１と、ケース本体１１の前面１０３にて変位可能に保持される連結ハンドル６０と、を有する。ケース本体１１は、底面１０２をなす底壁部１２と、前面１０３をなす前壁部１３と、後面１０４をなす後壁部１４と、右側面１０５をなす右壁部１５と、左側面１０６をなす左壁部１６との５面を連接して形成される。
【００１７】
ヒンジ軸１７は、右壁部１５および左壁部１６の後端上部においてケース本体１１に支持されている。ヒンジ軸１７は、右壁部３５および左壁部３６の後部下側に突き出された軸支部３７に挿し通されている。つまり、ヒンジ軸１７は、ケース本体１１の蓋としてケース本体１１の上側に配置された蓋部３１を回転可能に支持する。この蓋部３１が回転可能に支持される箇所は、一側としての後側に設定されている。蓋部３１は、上面１０１をなす上壁部３２と、前面１０３の一部をなす前壁部３３と、後面１０４の一部をなす後壁部３４と、右側面１０５の一部をなす右壁部３５と、左側面１０６の一部をなす左壁部３６とを連接して形成される。
【００１８】
図８に示すように、軸支部３７にはケース本体１１に支持されるヒンジ軸１７が挿し通される。蓋部３１は、ヒンジ軸１７を介してケース本体１１に対して開閉可能に連結される。ケース本体１１と蓋部３１とにより形成される各面１０１，１０２，１０３，１０４，１０５，１０６には、工具収納ケース１０同士を積み重ねる場合などを鑑みて、適宜の凹凸をなす段差形状が設けられている。この段差形状は、工具収納ケース１０としての剛性を高める観点から設けられるものであったり、工具収納ケース１０を取り扱う上での把持のし易さの観点から設けられるものであったりする。
【００１９】
蓋部３１の上面１０１の略中央には、上面ハンドル３９が設けられている。上面ハンドル３９は、工具収納ケース１０の上面を上側にする際にユーザの手で握られる。上面ハンドル３９は、手で握られる握り部３９１と、蓋部３１に連結される一対の支持部３９２とを有する。この一対の支持部３９２で、上面ハンドル３９は、蓋部３１に対して回動可能に連結されている。つまり、上面ハンドル３９は、持ち運び位置と収容位置とに変位可能に回動する。ちなみに、上面ハンドル３９は、工具収納ケース１０を置いている場合には、収容部４１に収容されるものとなっている。収容部４１は、上面ハンドル３９を収容可能な凹形をなす収容凹部４１１と、収容された上面ハンドル３９を手で掴めるように凹形をなす掴み用凹部４１２とを有する。ちなみに、収容部４１に収容された上面ハンドル３９は、蓋部３１の上面１０１と面一となるように収容部４１に収まるものとなっている。
【００２０】
蓋部３１の前後それぞれの端縁中央箇所には、手掛け用凹部４２が設けられている。手掛け用凹部４２は、内側に向けた凹形状を有する。この手掛け用凹部４２により、工具収納ケース１０を上下の高さ方向に複数段で積み重ねられた場合には、上側に積み重ねた工具収納ケース１０の底面１０２にユーザの手がかかるようにすることができる。つまり、手掛け用凹部４２から手を入れて上側の工具収納ケース１０の底面１０２を把持すると、この上側の工具収納ケース１０を持ち上げることができる。また、蓋部３１の左右それぞれの端縁には、ベルトループ４４が設けられている。ベルトループ４４は、不図示の肩掛けベルトが挿し通すことができるループ形状に形成されている。また、工具収納ケース１０の右前部分には、結束配設構造４５が設けられている。結束配設構造４５は、不図示の結束バンドが取り付けられる構造を有する。この結束配設構造４５は、結束バンドを介してケース本体１１に蓋部３１を結束し、製品出荷時の蓋部３１の開閉を規制する。また、結束配設構造４５にはユーザの任意で南京錠などをかけて、蓋部３１の開閉防止とすることも可能である。
【００２１】
図７および図８は、連結ハンドル６０に換えて連結部材５０が取り付けられた図である。図９は、連結部材５０が取り外された被連結部２０を拡大して示す図である。図１０は、被連結部２０から取り外された連結部材５０を示す図である。連結部材５０は、係合解除位置（Ｎ２）に配置された状態で、樹脂で成形された連結部材５０の弾性変形を利用して、捻ることにより被連結部２０から取り外されるものとなっている。ケース本体１１および蓋部３１には、連結部材５０に対応した被連結部２０が設けられている。被連結部２０は、連結部材５０を取付け可能に形成される。ちなみに、工具収納ケース１０の前面１０３の右位置には被連結部２０の右側被連結部２０Ａが設けられ、前面１０３の左位置には被連結部２０の左側被連結部２０Ｂが設けられている。なお、右側面１０５および左側面１０６の後部位置には、蓋側凸部２７が省略された準被連結部２０Ｃ，２０Ｄが設けられている。
【００２２】
図９に示すように、被連結部２０は、本体被連結部２１と蓋部被連結部２６とにより構成される。本体被連結部２１はケース本体１１に設けられる。蓋部被連結部２６は蓋部３１に設けられる。本体被連結部２１および蓋部被連結部２６は、連結部材５０を収容可能な凹形に形成されている。この凹形は、本体被連結部２１と蓋部被連結部２６とを互いに上下方向で連なるように形成される。また、本体被連結部２１の下端は、凹形に沿って開口された形状に形成されている。蓋部被連結部２６の上端も、凹形に沿って開口された形状に形成されている。なお、これらの本体被連結部２１および蓋部被連結部２６の凹形は、工具収納ケース１０を上下に積み重ねた場合に上下で連なる。本体被連結部２１の略中間位置に隔壁２４が設けられている。隔壁２４は上下を区画する隔壁形状をなしている。この隔壁２４は、本体被連結部２１の凹形を補強するリブとして機能している。
【００２３】
本体被連結部２１と蓋部被連結部２６とには、凹み段差により設定される内側面２５，２９が設けられている。内側面２５，２９のそれぞれは、互いに対面する一対で形成される。本体被連結部２１の内側面２５と蓋部被連結部２６の内側面２９とは、互いに面一で上下に連なっている。内側面２５，２９のそれぞれには、互いに連なるガイド溝２５１，２９１が設けられている。このガイド溝２５１，２９１は、連結部材５０を上下方向にスライドさせる凹溝として設けられると共に、係止爪部５６が係止可能とさせる凹溝としても設けられている。
【００２４】
本体被連結部２１には、連結部材５０の嵌合凹部５３および連結ハンドル６０の嵌合凹部７３に嵌合される連結凸部２３１および補助凸部２３２が設けられる。なお、嵌合凹部７３は、本発明に係る係合部に相当する。本体被連結部２１には、隔壁２４の下側となる位置に連結凸部２３１が２つ隣り合って並べられている。連結凸部２３１は立方体形状をなしている。２つ並べられる連結凸部２３１同士の間には僅かな隙間が設けられている。これに対し、本体被連結部２１の上端には、補助凸部２３２が２つ隣り合って並べられている。補助凸部２３２は、連結凸部２３１より上下方向の厚みが薄くされる。これらの連結凸部２３１と補助凸部２３２とは、連結部材５０の嵌合凹部５３および連結ハンドル６０の嵌合凹部７３の凹形に嵌合される凸形をなしている。
【００２５】
蓋部被連結部２６にも、連結部材５０の嵌合凹部５３および連結ハンドル６０の嵌合凹部７３に嵌合される蓋側凸部２７が設けられる。この蓋側凸部２７は、本発明に係る第１被係合部に相当する。これに対し、連結凸部２３１は、本発明に係る第２被係合部に相当する。蓋部被連結部２６の前面１０３には、蓋側凸部２７が２つ隣り合って並べられている。蓋側凸部２７は、上記した連結凸部２３１と同じ立方体形状をなしている。２つ並べられる蓋側凸部２７同士の間には僅かな隙間が設けられている。この蓋側凸部２７は、連結部材５０の嵌合凹部５３および連結ハンドル６０の嵌合凹部７３の凹形に嵌合される凸形をなしている。
【００２６】
連結部材５０は、ケース本体１１に対する蓋部３１の閉塞状態を保持したり、積み重ねられた上下の工具収納ケース１０同士を一体に連結したりする。連結部材５０は、外面をなす前面壁５０１を有し、この前面壁５０１に対して上面下面右面左面をなす上壁部５０２，下壁部５０３，右壁部５０４，左壁部５０５が連なっている。前面壁５０１は、連結部材５０が係合位置（Ｎ１）に位置している場合に、被連結部２０が設けられる前面１０３と外面が面一となる形状に設定される。連結部材５０の後側は、嵌合凹部５３として設定されている。嵌合凹部５３は、蓋側凸部２７あるいは連結凸部２３１が、補助凸部２３２と共に嵌合される凹形に形成されている。
【００２７】
なお、蓋側凸部２７と連結凸部２３１とは互いに相違する箇所に設けられている。しかし、この嵌合凹部５３と後述の嵌合凹部７３とは、蓋側凸部２７および連結凸部２３１のいずれかを補助凸部２３２と共に嵌合可能な凹形を有して形成されている。ちなみに、連結部材５０が蓋部３１の閉塞状態を保持する場合には、嵌合凹部５３は蓋側凸部２７と補助凸部２３２とを嵌合する。なお、蓋側凸部２７と補助凸部２３２とに対する嵌合凹部５３，７３の嵌合が、本発明に係る第１被係合部に対する係合部の係合に相当する。これに対し、連結部材５０が積み重ねられた上下の工具収納ケース１０同士を一体に連結する場合には、嵌合凹部５３は２つの工具収納ケース１０の一方（上側配置）の連結凸部２３１と他方（下側配置）の補助凸部２３２とを嵌合する。なお、連結凸部２３１と補助凸部２３２とに対する嵌合凹部５３，７３の嵌合が、本発明に係る第２被係合部に対する係合部の係合に相当する。
【００２８】
右壁部５０４および左壁部５０５の下端近くには、左右で対をなす回動凸部５５が設けられている。回動凸部５５は、左右幅方向の外側に向けて突出して形成される。この回動凸部５５は、回動軸として機能する円柱形をなしている。左右の回動凸部５５は、上記した被連結部２０のガイド溝２５１，２９１内に嵌まる。ガイド溝２５１，２９１に嵌まった回動凸部５５は、嵌まったままで上下にスライドさせることができる。回動凸部５５のガイド溝２５１，２９１内の上下スライドにより、連結部材５０の上下動は案内される。また、回動凸部５５がガイド溝２５１，２９１内で回動することにより、連結部材５０を係合位置（Ｎ１）と係合解除位置（Ｎ２）とに変位させることができる。なお、図８に示す係合解除位置の連結部材５０にあっては、樹脂の弾性変形を利用して捻られることにより嵌まった回動凸部５５をガイド溝２５１，２９１から外すことができる。つまり、連結部材５０は、被連結部２０に対して付け外し可能となっている。このようにガイド溝２５１，２９１から回動凸部５５が外されると、連結部材５０は被連結部２０から取り外されて、連結ハンドル６０に付替え可能となる。
【００２９】
右壁部５０４および左壁部５０５の上下中間位置には、左右で対をなす係止爪部５６が設けられている。係止爪部５６も、回動凸部５５と同様に、左右幅方向の外側に向けて突出して形成される。係止爪部５６は、前後方向に延ばされた切込みが入れられ、僅かながら左右幅方向に変位可能に形成されている。係止爪部５６は、僅かな左右幅方向の変位により左右幅方向の突出量を拡縮させ、ガイド溝２５１，２９１に係止することが可能となっている。ちなみに、係止爪部５６がガイド溝２５１，２９１に係止している場合には連結部材５０は係合位置に位置するものとなっており、係止爪部５６がガイド溝２５１，２９１から外れている場合には、連結部材５０は係合解除位置に位置するものとなっている。なお、係止爪部５６がガイド溝２５１，２９１に係止すると、連結部材５０は係合位置で保持されることとなる。
【００３０】
また、上壁部５０２には、指掛部５７が設けられている。指掛部５７は、連結部７０を含む連結ハンドル６０を、係合位置から係合解除位置に変位させるための指掛け可能な構成となっている。このため、指掛部５７に指を引っ掛けて前側に引っ張ると、回動凸部５５はガイド溝２５１，２９１に嵌まったまま、ガイド溝２５１，２９１に対しての係止爪部５６の係止のみが外される。そうすると、回動凸部５５を回動支点にして連結部材５０の上部は前側に倒され、連結部材５０は係合解除位置に位置することとなる。なお、係合解除位置の連結部材５０は、回動凸部５５だけがガイド溝２５１，２９１に嵌まって上下方向にスライド可能となっている。さらに、係合解除位置に位置する連結部材５０は、樹脂の弾性変形を利用して捻られることにより、回動凸部５５もガイド溝２５１，２９１から外すことができる。回動凸部５５がガイド溝２５１，２９１内から外されると、連結部材５０は、被連結部２０から分離されて被連結部２０は外部に露出される。
【００３１】
連結部材５０が係合位置（Ｎ１）に位置する場合には、嵌合凹部５３は閉じた蓋部３１の蓋側凸部２７と嵌合する。このように嵌合凹部５３が蓋部３１の蓋側凸部２７と嵌合すると、連結部材５０はケース本体１１に対する蓋部３１の閉塞状態を保持する。また、後にも説明するが、嵌合凹部５３が積み重ねられたケース本体１１の一方（上側配置）の連結凸部２３１と他方（下側配置）の補助凸部２３２とを嵌合している場合、連結部材５０は積み重ねられた二つの工具収納ケース１０同士を一体に連結する。なお、連結部材５０が係合解除位置（Ｎ２）に位置する場合には、嵌合凹部５３は蓋側凸部２７や連結凸部２３１と嵌合していないこととなる。つまり、ケース本体１１に対して蓋部３１を開けたり、積み重ねられた工具収納ケース１０同士を分離したりすることができる。
【００３２】
次に、連結ハンドル６０について説明する。連結ハンドル６０は、連結部材５０に替えて被連結部２０に取り付けられる部材である。このため、連結ハンドル６０は、連結部材５０として連結する機能を有すると共に、持ち運びするために手で握られるハンドルの機能も有する。図１１〜図１３は、連結ハンドル６０を単品で示している。図１１の斜視図は横置き状態の連結ハンドル６０の外観を示し、図１２の平面図は連結ハンドル６０の上面を示している。図１３の平面図は連結ハンドル６０の装着面側となる後面を示している。図１４の斜視図は連結ハンドル６０が係合解除位置となっている工具収納ケース１０を示している。図１５の断面図は図１４における(XV)-(XV)断面矢視を示している。
【００３３】
連結ハンドル６０は、本発明に係る連結体に相当する。連結ハンドル６０は、上記したように連結する機能とハンドルとしての機能とを有する。連結する機能は、連結部材５０と同様、被連結部２０に取り付けられて蓋部３１の閉塞状態を保持したり、積み重ねられた工具収納ケース１０同士を連結したりする機能である。ハンドルとしての機能は、上面ハンドル３９と同様、工具収納ケース１０を持ち運ぶ際にユーザの手で握られる機能である。連結ハンドル６０は、連結部材５０が取り外された被連結部２０に取り付けられる。このため、連結ハンドル６０も、連結部材５０と同様、被連結部２０に対して付け外し可能となっている。なお、連結ハンドル６０を説明するにあたっての上下前後左右の方向は、被連結部２０に取り付けられた場合を想定して規定されている。
【００３４】
連結ハンドル６０は、概略、ケース本体１１に取り付けられる係合ベース６１と、持ち運ぶ際に手で握られるハンドル部６８とを有する。係合ベース６１は、蓋部３１の開閉方向と交差する方向に延在される。係合ベース６１は、中間部分と設定されるベース本体６２と、ベース本体６２の左右両端に連接して設けられる２つの連結部７０とを有する。ベース本体６２は、左右上下平面に延びている。ベース本体６２は、上側半分がハンドル収容部６３として形成される。また、下側半分は、ハンドル軸支部６５として形成される。ハンドル収容部６３は、ハンドル部６８を収容する凹形構造を有する。ハンドル軸支部６５は、ハンドル部６８を回動可能に支持する軸支持構造を有する。
【００３５】
ハンドル部６８は、上面ハンドル３９と略同一に構成される部材となっている。ハンドル部６８は、手で握られる握り部６８１と、ハンドル軸支部６５に連結される一対の支持部６８２とを有して構成される。一対の支持部６８２は、次に説明するハンドル軸支部６５の軸構造６５３に回動可能に支持されている。このようなハンドル部６８は、上面ハンドル３９と同様、持ち運び位置（Ｍ１）と収容位置（Ｍ２）とに変位可能に回動する。なお、図１〜図５，図１１に示すように、持ち運び位置（Ｍ１）に位置するハンドル部６８は、ユーザが手で握ることができる。なお、このハンドル部６８は、後に説明する係止爪部７６に対し回動凸部７５を挟んで係止爪部７６とは反対側の位置に設けられている。
【００３６】
また、図６〜図８，図１２，図１３に示すように、収容位置（Ｍ２）のハンドル部６８は、工具収納ケース１０を置いた場合に邪魔にならないように収まった状態となっている。これに対し、ハンドル収容部６３は、収容部４１と同様、ハンドル部６８の形状に対応した凹形に設定されている。また、ハンドル収容部６３の上端には切欠き凹部６４が設けられている。切欠き凹部６４は、蓋部３１の手掛け用凹部４２の形状に合わせてあり、手掛け用凹部４２と同様、上側に積み重ねた工具収納ケース１０の底面１０２にユーザの手がかかるようにされている。
【００３７】
ハンドル軸支部６５は、中央範囲に設定される中央部６５１と、中央部６５１の左右両側に連接される２つの側部６５２とを有する。中央部６５１および側部６５２には、図１１に示すように軸構造６５３が設けられている。軸構造６５３は、上記したハンドル部６８の支持部６８２を回動可能に支持する構造として構成される。中央部６５１および側部６５２は、互いに面一となる前面６５０が設定されている。前面６５０は、連結部７０の前面７００とも面一となる面形状をなすと共に、ハンドル収容部６３に収容されたハンドル部６８の側面６８３とも面一となる面形状をなしている。
【００３８】
ところで、ベース本体６２の後面側には、左右方向に延びるリブ６６が設けられている。ハンドル収容部６３の裏側には、第１リブ６６１および第２リブ６６２が左右方向の全長範囲に亘って設けられている。ハンドル軸支部６５には、第３リブ６６３が中央部６５１の左右方向の範囲に亘って設けられている。第１リブ６６１および第２リブ６６２は、ハンドル収容部６３の後面を構成している。第３リブ６６３は、ハンドル軸支部６５の後面を構成するとともに傾斜ガイド部６７の一部として設定されている。具体的には、第１リブ６６１および第２リブ６６２の後端（外端）は、同一の上下左右平面に位置するように前後方向で揃って位置している。これに対し、第３リブ６６３の後端は、第１リブ６６１および第２リブ６６２の後端（同一の上下左右平面）よりも前側に退避するように位置している。
【００３９】
傾斜ガイド部６７は、図５に示すように下側に向かうにしたがって前側に傾斜して退避される後面形状に設定されている。つまり、ハンドル収容部６３の後面と連結部７０の後面とは、前後方向で傾くことなく上下方向に延びる後面形状で設定されている。これに対し、ハンドル軸支部６５の後面形状をなす傾斜ガイド部６７は、下側に向かうにしたがって前側に傾斜して退避する形状に形成されている。具体的には、ハンドル軸支部６５の下端縁６６４の後端は、第３リブ６６３の後端よりも前側へ退避する位置に配置されている。これによって、ケース本体１１の前面１０３と傾斜ガイド部６７との間には、離間空間Ｓが設定されるものとなっている。この離間空間Ｓは、傾斜ガイド部６７の前側に退避する形状により、連結ハンドル６０が係合位置（Ｎ１）となっている場合には、下側に向かうにしたがって次第に大きくなる。
【００４０】
離間空間Ｓは、連結ハンドル６０を係合位置（Ｎ１）と係合解除位置（Ｎ２）とに変位させるための空間である。図２や図５に示すように、連結ハンドル６０は、係合位置（Ｎ１）に位置している場合には、離間空間Ｓが設定されるように配置されている。これに対し、図１４や図１５に示すように連結ハンドル６０は、係合解除位置（Ｎ２）に位置している場合には、離間空間Ｓを埋めるように配置されている。つまり、連結ハンドル６０が係合位置（Ｎ１）と係合解除位置（Ｎ２）との間で配置を切り替える場合、次に説明する回動凸部７５を回動軸として連結ハンドル６０を回動させることによるものとなっている。なお、この連結ハンドル６０には、このような係合位置（Ｎ１）と係合解除位置（Ｎ２）との間で配置の切替えの変位により、被連結部２０に係合あるいは係合解除される連結部７０が設けられている。
【００４１】
次に、ベース本体６２の左右の両側に設けられる連結部７０について説明する。連結部７０は、連結部材５０と同様、被連結部２０に取り付けられる構成を有する。連結部７０は、係合ベース６１の延在方向の両端の左右位置に対をなして設けられている。係合ベース６１は、中央のベース本体６２に対し、右側に右連結部７０Ａが連接され、左側に左連結部７０Ｂが連接されている。連結部７０は、被連結部２０に取り付けられるにあたって連結部材５０と略同一の構成を有する。このため、連結部７０を説明するにあたり、連結部材５０と略同一に構成される箇所は、連結部材５０の説明時に用いた部位名を流用する。ちなみに、連結部材５０と相違する連結部７０の形状は、連結ハンドル６０としてベース本体６２に合わせられた形状となっている。例えば、上記したように連結部７０の前面７００は、前側に張り出されてハンドル軸支部６５の前面６５０と面一となっている。
【００４２】
ところで、これらの連結部７０の下端７２は、ハンドル軸支部６５の下端縁６６４よりも相対的に上側に位置している。このため、連結部７０の下側では、ケース本体１１の前面１０３が連結ハンドル６０に覆われることなく外部に露出されることとなる。これによって、上記した連結部材５０を用いて、ケース本体１１の本体被連結部２１（被連結部２０）に対しての連結が可能となる。このように連結部７０の下端７２は、本発明に係る切欠き部として設定され、本体被連結部２１の連結凸部２３１を外部に露出させる。連結部７０も、外面をなす前面壁７０１を有し、この前面壁７０１に対して上面下面右面左面をなす上壁部７０２，下壁部７０３，右壁部７０４，左壁部７０５が連なって設けられている。
【００４３】
前面壁７０１は、連結部７０（連結ハンドル６０）が係合位置（Ｎ１）に位置している場合に、被連結部２０が設けられる側面（例えば前面１０３）と面一となる外面形状を有する。連結部７０の後側は嵌合凹部７３として設定されている。嵌合凹部７３も、蓋側凸部２７および補助凸部２３２が嵌合される凹形に形成されている。なお、嵌合凹部７３も、連結部材５０と同様、連結ハンドル６０が係合位置（Ｎ１）に位置している場合に、蓋側凸部２７および補助凸部２３２が嵌合される。また、連結ハンドル６０が係合解除位置（Ｎ２）に位置している場合には、蓋側凸部２７および補助凸部２３２の嵌合は外される。ちなみに連結ハンドル６０が蓋部３１の閉塞状態を保持する場合には、嵌合凹部７３は蓋側凸部２７と補助凸部２３２とに嵌合される。これに対し、連結ハンドル６０が積み重ねられた上下の工具収納ケース１０同士を一体に連結する場合には、嵌合凹部７３は２つの工具収納ケース１０の一方（上側配置）の連結凸部２３１と他方（下側配置）の補助凸部２３２とを嵌合する。
【００４４】
右壁部７０４および左壁部７０５の下端近くには、左右で対をなす回動凸部７５が設けられている。回動凸部７５は、左右幅方向の外側に向けて突出して形成される。この回動凸部７５は、回動軸として機能する円柱形をなしている。この回動凸部７５は、ケース本体１１に支持される連結ハンドル６０の回動支点を構成する。連結ハンドル６０は、回動凸部７５を回動支点として、ケース本体１１に対して回動変位可能となっている。左右の回動凸部７５は、上記した被連結部２０のガイド溝２５１，２９１内に嵌まる。ガイド溝２５１，２９１に嵌まった回動凸部７５は、嵌まったままで上下にスライドさせることができる。回動凸部７５のガイド溝２５１，２９１内の上下スライドにより、連結部７０を含む連結ハンドル６０の上下動は案内される。また、回動凸部７５がガイド溝２５１，２９１内で回動することにより、連結部７０を含む連結ハンドル６０を係合位置（Ｎ１）と係合解除位置（Ｎ２）とに変位させることができる。
【００４５】
具体的に言えば、連結ハンドル６０を係合位置（Ｎ１）から係合解除位置（Ｎ２）に配置切替するにあたっては、離間空間Ｓを埋めるように連結ハンドル６０の下部を後側へ押す。そうすると、連結ハンドル６０は、回動凸部７５を回動軸として回動し、図２および図５に示す状態から図１４および図１５に示す状態に変位させることとなる。これに対し、連結ハンドル６０を係合解除位置（Ｎ２）から係合位置（Ｎ１）に配置切替するにあたっては、嵌合凹部７３に蓋側凸部２７と補助凸部２３２とを嵌合させるように連結ハンドル６０の上部を後側へ押す。そうすると、連結ハンドル６０は、回動凸部７５を回動軸として回動し、図１４および図１５に示す状態から図２および図５に示す状態に変位させることとなる。つまり、連結ハンドル６０は、係合位置（Ｎ１）と係合解除位置（Ｎ２）との間をワンタッチで変位させることができる。
【００４６】
なお、図１４に示す係合解除位置（Ｎ２）の連結部７０にあっては、上側に引っ張ることにより、嵌まった回動凸部７５をガイド溝２５１，２９１から外すことができる。つまり、連結部７０を含む連結ハンドル６０は、被連結部２０に対して付け外し可能となっている。このようにガイド溝２５１，２９１から回動凸部７５が外されると、連結部７０は被連結部２０から取り外されて、連結部材５０に付替え可能となる。
【００４７】
右壁部７０４および左壁部７０５の上下中間位置には、左右で対をなす係止爪部７６が設けられている。係止爪部７６も、回動凸部７５と同様に、左右幅方向の外側に向けて突出して形成される。この係止爪部５６は、本発明に係る係止部に相当する。係止爪部７６は、前後方向に延ばされた切込みが入れられ、僅かながら左右幅方向に変位可能に形成されている。係止爪部７６は、僅かな左右幅方向の変位により左右幅方向の突出量を拡縮させ、ガイド溝２５１，２９１に係止することが可能となっている。ちなみに、係止爪部７６がガイド溝２５１，２９１に係止している場合には連結部７０は係合位置（Ｎ１）に位置するものとなっており、係止爪部７６がガイド溝２５１，２９１から外れている場合には、連結部７０は係合解除位置（Ｎ２）に位置するものとなっている。なお、この係止爪部５６は、ガイド溝２５１，２９１に係止すると、連結部７０の被連結部２０との係合を保持することとなる。
【００４８】
また、上壁部７０２には、本発明に係る指掛け可能な凹部に相当する指掛部７７が設けられている。指掛部７７は、連結部７０を含む連結ハンドル６０を、係合位置（Ｎ１）から係合解除位置（Ｎ２）に変位させるための指掛け可能な構成となっている。このため、指掛部７７に指を引っ掛けて前側に引っ張ると、回動凸部７５はガイド溝２５１，２９１に嵌まったまま、ガイド溝２５１，２９１に対する係止爪部７６の係止が外される。そうすると、回動凸部７５を回動支点にして連結ハンドル６０の上部が前側に倒されて、連結部７０（連結ハンドル６０）は係合解除位置（Ｎ２）に位置することとなる。なお、係合解除位置（Ｎ２）の連結ハンドル６０は、回動凸部７５だけがガイド溝２５１，２９１に嵌まって上下方向にスライドさせることができる。
【００４９】
ちなみにハンドル軸支部６５は、回動軸（回動支点）となる回動凸部７５を挟んで、嵌合凹部７３および係止爪部７６とは反対側の位置に設けられている。このため、ハンドル部６８を手で握って持ち上げ、ハンドル軸支部６５に持上げ方向の力が作用すると、連結ハンドル６０には回動凸部７５を回動支点にして回動作用が働く。具体的には、持ち上げる力はケース本体から離れる方向でハンドル部６８に作用する。この作用力は、回動凸部７５を回動支点とする回動作用が連結部７０に働く。この回動作用は、係止爪部７６がケース本体１１に近づく方向に働く。これによって、係止爪部７６は、ケース本体１１から離れないこととなり、連結部７０と被連結部２０との係合を良好に保持することができる。なお、この回動作用は、係止爪部７６がガイド溝２５１，２９１に係止する方向に働くと共に、嵌合凹部７３が蓋側凸部２７および補助凸部２３２に嵌合させる方向に働く。つまり、ハンドル部６８を手で握って持ち上げた場合、連結ハンドル６０からケース本体１１にかかる荷重は、嵌合凹部７３の蓋側凸部２７および補助凸部２３２に嵌合する方向に作用して、この嵌合を保持するように作用するものとなっている。
【００５０】
なお、連結部７０を含む連結ハンドル６０が係合解除位置（Ｎ２）に位置している状態で、この連結ハンドル６０を上側へ引き抜くようにスライドさせると、ガイド溝２５１，２９１内に嵌められていた回動凸部７５はガイド溝２５１，２９１から外部へ外すことができる。回動凸部７５がガイド溝２５１，２９１内から外されると、連結ハンドル６０は被連結部２０から分離されることとなり、被連結部２０は外部に露出されることとなる。連結部７０（連結ハンドル６０）が係合位置（Ｎ１）で位置し、嵌合凹部７３が蓋部３１の蓋側凸部２７と嵌合している場合には、連結ハンドル６０はケース本体１１に対する蓋部３１の閉塞状態を保持する。なお、連結部７０（連結ハンドル６０）が係合解除位置（Ｎ２）に位置している場合には、蓋部３１はケース本体１１に対して開閉可能となる。
【００５１】
また、連結ハンドル６０の連結部７０も、積み重ねた工具収納ケース１０同士を連結可能に構成される。すなわち、嵌合凹部７３が積み重ねられたケース本体１１の互いの連結凸部２３１と補助凸部２３２とを嵌合している場合、連結ハンドル６０は積み重ねられた二つの工具収納ケース１０同士を一体に連結する。なお、連結ハンドル６０が係合解除位置（Ｎ２）に位置する場合には、嵌合凹部７３は蓋側凸部２７や連結凸部２３１と嵌合していないこととなる。つまり、ケース本体１１に対して蓋部３１を開けたり、積み重ねられた工具収納ケース１０同士を分離したりすることができる。
【００５２】
図１６および図１７に示すように、連結ハンドル６０は、３段連結された連結ケース１００にあっても利用することができる。図１６は、３段連結された連結ケース１００の外観を示す縦置き斜視図である。図１７は、図１６における(XVII)-(XVII)断面矢視を示す断面図である。連結ケース１００は、工具収納ケース１０を上下３段で積み重ねられて連結されている。すなわち、連結部材５０および連結ハンドル６０により、下段ケース１０Ａ、中段ケース１０Ｂ、上段ケース１０Ｃの３つの工具収納ケース１０は連結されて１つの連結ケース１００となっている。下段ケース１０Ａと中段ケース１０Ｂとは、４つの連結部材５０で連結されている。これに対し、中段ケース１０Ｂと上段ケース１０Ｃとは、２つの連結部材５０と連結ハンドル６０とで連結されている。
【００５３】
具体的には、下段ケース１０Ａと中段ケース１０Ｂとは、連結部材５０により、前面２箇所と左右１箇所ずつとが連結されている。これに対し、中段ケース１０Ｂと上段ケース１０Ｃとは、連結部材５０により左右１箇所ずつが連結され、連結ハンドル６０により前面が連結されている。ちなみに、ハンドル軸支部６５は係合ベース６１の下側で支持されている。このため、ハンドル部６８を持ち運び位置（Ｍ１）に位置させた場合には、連結ケース１００の上下方向の略中間位置に配置させることができ、持ち運ぶ際のバランスが良くなっている。
【００５４】
なお、上記した連結部材５０は、図１８に示す符号５０Ａのように構成されるものであってもよい。図１８の斜視図は、連結部材５０Ａにカラビナ９０が取り付けられる例を示している。図１８に示す連結部材５０Ａは、下壁部５０３に近接して引掛孔５８が設けられている。引掛孔５８は、上下に貫通された孔が前側に配置されるように設けられている。ちなみに、図１８に示す連結部材５０Ａは、この引掛孔５８の構成以外の構成に関しては、上記した連結部材５０と同一の構成となっている。図示されるように、左右の連結部材５０Ａそれぞれの引掛孔５８には、カラビナ９０が取り付けられている。このカラビナ９０には、肩掛けベルト８０が取り付けられている。この肩掛けベルト８０は、ベルト本体８１と、長さ調節ループ８２と、ベルトパッド８３とを有する。
【００５５】
上記した工具収納ケース１０によれば、連結ハンドル６０は連結部７０を有してケース本体１１の前面１０３にて保持される。ここで、連結ハンドル６０が係合位置（Ｎ１）に位置し、嵌合凹部７３が蓋側凸部２７と補助凸部２３２と嵌合している場合、ケース本体１１に対する蓋部３１の閉塞状態は保持される。他方、連結ハンドル６０には持ち運ぶために手で握られるハンドル部６８が設けられているので、前面１０３を上側にして工具収納ケース１０を持ち運ぶことができる。これによって、工具収納ケース１０の重心をユーザの胴体に近くできて持ち運び易くなる。また、上記した工具収納ケース１０によれば、連結部７０は、左右の両端位置に対をなして設けられているので、蓋部３１の閉塞状態をバランス良く保持することができる。なお、対をなす連結部７０の係合および係合解除のための操作は、連接される係合ベース６１により一括で行うことができる。
【００５６】
上記した工具収納ケース１０によれば、連結ハンドル６０はケース本体１１に取外し可能に取り付けられるので、ケース本体１１から連結ハンドル６０を取り外すことができる。これによって、例えばユーザの好みなどに応じて連結ハンドル６０の構成を入れ替えることができ、バリエーションに富んだユーザニーズに対応可能な工具収納ケース１０とすることができる。また、上記した工具収納ケース１０によれば、ハンドル部６８を手で握って持ち上げた場合、持ち上げる力はケース本体１１から離れる方向でハンドル部６８に作用する。この作用力は、回動凸部７５を回動支点として連結ハンドル６０に対して回動作用が働く。ここでハンドル部６８は、回動凸部７５を挟んで嵌合凹部７３および係止爪部７６とは反対側の位置に設けられているので、嵌合凹部７３はケース本体１１に近づく方向に回動作用が働くこととなる。これによって、嵌合凹部７３は、ケース本体１１から離れないこととなり、嵌合凹部７３の嵌合を良好に保持することができる。
【００５７】
図１６および図１７に示す工具収納ケース１０Ｂ，１０Ｃのように、連結ハンドル６０により２つの工具収納ケース１０を一体に連結した場合には、２つの工具収納ケース１０を同時に持ち運ぶことができたり、複数の工具収納ケース１０を纏めて管理したりすることができる。また、上記した工具収納ケース１０によれば、連結部７０の下端７２は本体被連結部２１の連結凸部２３１を外部に露出させる切欠き部として設定されているので、連結ハンドル６０をつけたままでも別の連結部材５０を利用して工具収納ケース１０同士を連結することができる。また、上記した工具収納ケース１０によれば、指掛部７７に指を掛けて、連結ハンドル６０を係合位置（Ｎ１）から係合解除位置（Ｎ２）に変位させることができる。これによって、ユーザは、係合位置（Ｎ１）から係合解除位置（Ｎ２）へ操作するにあたっての操作が容易に行える。
【００５８】
なお、本発明に係る工具収納ケースにあっては、上記した実施の形態に限定されるものではなく、例えばケース本体１１や蓋部３１の形状などを適宜に変更するものであってもよい。また、連結部材５０や連結ハンドル６０にあっても、係合するための嵌合構造などを適宜に変更して構成するものであってもよい。例えば、本発明に係る係合部を凸形に形成し、本発明に係る被係合部を凸形に嵌合する凹形に形成してもよい。
【符号の説明】
【００５９】
１０  工具収納ケース
１００  連結ケース
１０１  上面
１０２  底面
１０３  前面
１０４  後面
１０５  右側面
１０６  左側面
１１  ケース本体
１２  底壁部
１３  前壁部
１４  後壁部
１５  右壁部
１６  左壁部
１７  ヒンジ軸
２０  被連結部
２０Ａ  右側被連結部
２０Ｂ  左側被連結部
２０Ｃ，２０Ｄ  準被連結部
２１  本体被連結部
２３１  連結凸部（第２被係合部）
２３２  補助凸部
２４  隔壁
２５，２９  内側面
２５１，２９１  ガイド溝
２６  蓋部被連結部
２７  蓋側凸部（第１被係合部）
２９  内側面
３１  蓋部
３２  上壁部
３３  前壁部
３４  後壁部
３５  右壁部
３６  左壁部
３７  軸支部
３９  上面ハンドル
３９１  握り部
３９２  支持部
４１  収容部
４１１  収容凹部
４１２  掴み用凹部
４２  手掛け用凹部
４４  ベルトループ
４５  結束配設構造
５０   連結部材
５３  嵌合凹部
５５  回動凸部
５６  係止爪部
５７  指掛部
５８  引掛孔
６０  連結ハンドル（連結体）
６１  係合ベース
６２  ベース本体
６３  ハンドル収容部
６４  切欠き凹部
６５  ハンドル軸支部
６５０  前面
６５１  中央部
６５２  側部
６５３  軸構造
６６  リブ
６６１  第１リブ
６６２  第２リブ
６６３  第３リブ
６６４  下端縁
６７  傾斜ガイド部
６８  ハンドル部
６８１  握り部
６８２  支持部
６８３  側面
７０  連結部
７００  前面
７０１  前面壁
７０２  上壁部
７０３  下壁部
７０４  右壁部
７０５  左壁部
７０Ａ  右連結部
７０Ｂ  左連結部
７２  下端
７３  嵌合凹部
７５  回動凸部（回動支点）
７６  係止爪部（係止部）
７７  指掛部
８０  ベルト
８１  ベルト本体
８２  調節ループ
８３  ベルトパッド
９０  カラビナ
Ｓ  離間空間
Ｍ１  持ち運び位置
Ｍ２  収容位置
Ｎ１  係合位置
Ｎ２  係合解除位置
【図１】
2017039194.tif 000003
【図２】
2017039194.tif 000004
【図３】
2017039194.tif 000005
【図４】
2017039194.tif 000006
【図５】
2017039194.tif 000007
【図６】
2017039194.tif 000008
【図７】
2017039194.tif 000009
【図８】
2017039194.tif 000010
【図９】
2017039194.tif 000011
【図１０】
2017039194.tif 000012
【図１１】
2017039194.tif 000013
【図１２】
2017039194.tif 000014
【図１３】
2017039194.tif 000015
【図１４】
2017039194.tif 000016
【図１５】
2017039194.tif 000017
【図１６】
2017039194.tif 000018
【図１７】
2017039194.tif 000019
【図１８】
2017039194.tif 000020